(57)【要約】【課題】大型廃棄物を連続的に投入して効率的に粉砕でき、その投入作業も容易な粉砕機を提供する。【解決手段】固定刃１３と、その固定刃１３と僅かな間隙Ｇをあけて設けられ、複数の刃物１２を取付けたローター１１とによって、大型廃棄物Ｒを細かく粉砕する粉砕本体部１０を設け、粉砕本体部１０の水平方向下流側Ｄに、大型廃棄物Ｒを振動によって上流側Ｕに送る振動コンベア２０を設け、振動コンベア２０と粉砕本体部１０との間に、振動コンベア２０から送られた大型廃棄物Ｒを、上下から狭持して粉砕本体部１０へ強制的に投入すべく、水平方向に配された二つの押圧歯車３３間にチェーン３４を懸架した上部チェーン機構３１と下部チェーン機構３２とで構成した強制投入部３０を設ける。また、上部チェーン機構３１の二つの押圧歯車３３のそれぞれを、独立して垂直方向に揺動自在とする。【選択図】　　　図１
2004141817.tif 000002
【特許請求の範囲】
【請求項１】
固定刃（１３）と，該固定刃と僅かな間隙（Ｇ）をあけて設けられ，複数の刃物（１２）を取付けたローター（１１）とによって，大型廃棄物（Ｒ）を細かく粉砕する粉砕本体部（１０）を有する粉砕機であって、前記粉砕本体部の水平方向下流側（Ｄ）に，投入された前記大型廃棄物を振動によって上流側（Ｕ）に送る振動コンベア（２０）を設け、前記振動コンベアと前記粉砕本体部との間に，前記振動コンベアから送られた大型廃棄物を，上下から狭持して前記粉砕本体部へ強制的に投入すべく，水平方向に配された二つの押圧歯車（３３）間にチェーン（３４）を懸架した上部チェーン機構（３１）と下部チェーン機構（３２）とで構成した強制投入部（３０）を設け、かつ，前記上部チェーン機構の二つの押圧歯車のそれぞれを，独立して垂直方向に揺動自在としてなる水平投入型粉砕機。
【発明の詳細な説明】
【０００１】
【発明の属する技術分野】本発明は、産業建材廃棄物、家具、パレット、チップボード、梱包材、長尺木材、木屑、樹脂、マット等の大型廃棄物を細かく粉砕する粉砕機に関するものである。
【０００２】
【従来の技術】従来、産業建材廃棄物や家具等の大型廃棄物を細かく粉砕するための粉砕機が存在する。この従来の粉砕機は、大型廃棄物を、上方開口部から投入し、固定刃と、刃物を有し回転するローターとによって粉砕するようにしている。
【０００３】
【発明が解決しようとする課題】しかし、この従来の粉砕機は、大型廃棄物を、その上方開口部から投入する必要があるので、連続的に粉砕することができず、粉砕効率が悪いといった問題がある。また、大型廃棄物を投入するためには、それを高い位置まで持ち上げなければならないので、投入作業が厄介であるといった問題もある。
【０００４】
本発明はこうした問題に鑑み創案されたもので、大型廃棄物を連続的に投入して効率的に粉砕することができる共に、その投入作業も容易な粉砕機を提供することを課題とする。
【０００５】
【課題を解決するための手段】図１乃至図３を参照して説明する。本発明に係る水平投入型粉砕機１は、固定刃１３と、その固定刃１３と僅かな間隙Ｇをあけて設けられ、複数の刃物１２を取付けたローター１１とによって、大型廃棄物Ｒを細かく粉砕する粉砕本体部１０を有する粉砕機であって、前記粉砕本体部１０の水平方向下流側Ｄに、投入された前記大型廃棄物Ｒを振動によって上流側Ｕに送る振動コンベア２０を設け、前記振動コンベア２０と前記粉砕本体部１０との間に、前記振動コンベア２０から送られた大型廃棄物Ｒを、上下から狭持して前記粉砕本体部１０へ強制的に投入すべく、水平方向に配された二つの押圧歯車３３間にチェーン３４を懸架した上部チェーン機構３１と下部チェーン機構３２とで構成した強制投入部３０を設け、かつ、前記上部チェーン機構３１の二つの押圧歯車３３のそれぞれを、独立して垂直方向に揺動自在としてなる。
【０００６】
【発明の実施の形態】本発明に係る水平投入型粉砕機１の実施形態を、図１乃至図３に示す。この粉砕機１は、粉砕本体部１０、振動コンベア２０および強制投入部３０を備える。
【０００７】
粉砕本体部１０は、鋸歯状の固定刃１３と、その固定刃１３と約１５ｍｍの間隙Ｇをあけて設けられ、同じく鋸歯状の外周面に４２枚の刃物１２を取付けたローター１１とによって構成される。ローター１１は、粉砕本体部１０に隣接して設けたモーター４０によって回転する。なお、刃物１２の数は、４２枚に限定されるものではない。
【０００８】
振動コンベア２０は、粉砕本体部１０の水平方向下流側Ｄに設けられ、投入された大型廃棄物Ｒを振動によって上流側Ｕに送るものであり、固定板２１と振動板２２とを連結板２３によって連結して構成される。
【０００９】
また、強制投入部３０は、振動コンベア２０と粉砕本体部１０との間に設けられ、振動コンベア２０から送られた大型廃棄物Ｒを、上下から狭持して粉砕本体部１０へ強制的に投入するものである。この強制投入部３０は、上部チェーン機構３１と下部チェーン機構３２とで構成される。上部チェーン機構３１および下部チェーン機構３２は、それぞれ、粉砕本体部１０および振動コンベア２０に対して水平方向に配された二つの押圧歯車３３間にチェーン３４を懸架して構成している。また、上部チェーン機構３１を構成する二つの押圧歯車３３のそれぞれを、独立して垂直方向に揺動自在に設定している。さらに、下部チェーン機構３２の直上には、大型廃棄物Ｒの通路となる底板３５を設けている。
【００１０】
また、粉砕本体部１０の下方には、所定径の孔を無数に有するスクリーン４１を設けている。
なお、本実施形態における上部チェーン機構３１および下部チェーン機構３２は、共に、二つの押圧歯車３３と一つのチェーン３４で構成しているが、上流側Ｄの押圧歯車３３のみで構成することもできる。
【００１１】
本実施形態における水平投入型粉砕機１の作用について説明する。まず、大型廃棄物Ｒを振動コンベア２０の上に投入する（載せる）。この振動コンベア２０は、粉砕本体部１０の水平方向下流側Ｄに設けているので、投入位置が低い。従って、投入に際して大型廃棄物Ｒを高く持ち上げる必要がなく、投入作業を容易に行うことができる。
【００１２】
また、大型廃棄物Ｒを、水平方向に設けられ、投入位置が低い振動コンベア２０に投入するので、当該大型廃棄物Ｒを連続して投入することができる。従って、粉砕作業を効率的に行うことができる。
【００１３】
投入された大型廃棄物Ｒは、振動コンベア２０の振動によって上流側Ｕに送られ、強制投入部３０へ到達する。強制投入部３０では、まず、下流側Ｄの押圧歯車３３が大型廃棄物Ｒの侵入によって上方に揺動して、当該大型廃棄物Ｒの受け入れを開始し（図１（ａ）参照）、続いて、上流側Ｕの押圧歯車３３が同様に上方に揺動して受け入れを完了する（同（ｂ）参照）。
【００１４】
これによって、大型廃棄物Ｒが上部チェーン機構３１と下部チェーン機構３２とによって上下から強く挟持され、そのまま強制的に粉砕本体部１０へ投入される。この際、上部チェーン機構３１の二つの押圧歯車３３は、それぞれ独立して上下方向に自在に揺動するので、肉厚の異なるあらゆる種類の大型廃棄物Ｒを連続的に投入することができる。なお、押圧歯車３３の揺動は、それをバネ材を介して固定することによって行うことができる。
【００１５】
粉砕本体部１０へ投入された大型廃棄物Ｒは、固定刃１３によって下から固定された状態で、上から、回転するローター１１に取付けた刃物１２によって細かく砕かれ、粉砕物ｒとなって両者間の間隙Ｇから落下する。この際、大型廃棄物Ｒは上部チェーン機構３１と下部チェーン機構３２とによって強固に挟持された状態で強制的に送られるので、後退移動することがない。特に、この大型廃棄物Ｒは、上下四つの押圧歯車３３によって強く挟持されているので、例えば、上下二つの押圧歯車３３によって挟持する場合と比較して、高い挟持力を得ることができ、これにより、大型廃棄物Ｒを、より効率的に粉砕することができる。
【００１６】
粉砕本体部１０で粉砕され、落下した粉砕物ｒはスクリーン４１の孔を通って排出される。このスクリーン４１を設けたことによって、一定の細かさに粉砕された粉砕物ｒのみを選択して収集することができる。
【００１７】
【発明の効果】本発明に係る水平投入型粉砕機１は、粉砕本体部１０の水平方向下流側Ｄに振動コンベア２０を設け、振動コンベア２０と粉砕本体部１０との間に強制投入部３０を設けているので、大型廃棄物Ｒを連続して投入することができる。従って、粉砕作業を効率的に行うことができる。また、大型廃棄物Ｒを投入する際に、それを高く持ち上げる必要がないので、投入作業を容易に行うことができる。
【図面の簡単な説明】
【図１】本発明に係る水平投入型粉砕機の実施形態を示す側面図であり、（ａ）は強制投入部が大型廃棄物を受け入れた直後の状態、（ｂ）は受け入れ完了後の状態を示す。
【図２】図１に示す粉砕機の平面図である（強制投入部省略）。
【図３】図１および図２に示す粉砕機の刃物を示す斜視図である。
【符号の説明】
１　　　水平投入型粉砕機
１０　　粉砕本体部
１１　　ローター
１２　　刃物
１３　　固定刃
２０　　振動コンベア
２１　　固定板
２２　　振動板
２３　　連結板
３０　　強制投入部
３１　　上部チェーン機構
３２　　下部チェーン機構
３３　　押圧歯車
３４　　チェーン
３５　　底板
４０　　モーター
４１　　スクリーン
Ｄ　　　下流側
Ｇ　　　間隙
Ｒ　　　大型廃棄物
ｒ　　　粉砕物
Ｕ　　　上流側
【図１】
2004141817.tif 000003
【図２】
2004141817.tif 000004
【図３】
2004141817.tif 000005